(57)【要約】  二種類のエンドトキシン検出システムおよびそれに対応する検出方法を開示する。二種類のシステムは、いずれも通常のレーザー粒径検出器に基づいて光路検出システムを集積し、レーザー散乱によって水溶液中のエンドトキシンコロイド粒子の粒径分布特徴を検出するものである。そのうちの一つは、定量演算器によりエンドトキシン粒子の三つ以上の異なる角度における散乱強度差に応じて光散乱度とエンドトキシン濃度との関連性のフィッティングを行って、エンドトキシン濃度を計算するものである。他方は、レーザー源強度の調節、スキャンモードの調節、および検出パラメータの調節により、一連の濃度のエンドトキシン標準溶液の濃度限界値の検出パラメータを計測した後、対応する検出パラメータを選択して試料に対する検出を行い、検出結果における粒径分布のピークの出現範囲に応じて試料の合否を判定するものである。検出速度が速く、検出コストが低く、信頼性が高いため、エンドトキシンの定量および限度の単回、連続またはオンラインでの検出を実現できる。【選択図】図１
2015519576.tif 000002
【特許請求の範囲】
【請求項１】
レーザー源、短焦点レンズ、回折格子、長焦点レンズ、検出セル、散乱光受信器、光電変換器、信号増幅器、信号プロセッサ、データ収集器、定量演算器、およびデータディスプレイを含むエンドトキシン検出システムであって、
前記レーザー源から出力された光が順に、前記短焦点レンズ、前記回折格子、および前記長焦点レンズを通過してから前記検出セルに入り、前記検出セルを透過した光が、前記散乱光受信器により受信されてから前記光電変換器に入り、
前記光電変換器の出力信号が順に、前記信号増幅器、前記信号プロセッサ、および前記データ収集器を通過してから前記定量演算器に入って、エンドトキシン濃度を計算し、
前記定量演算器の出力端は前記データディスプレイに接続されることを特徴とする、エンドトキシン検出システム。
【請求項２】
前記定量演算器の出力端に接続される早期警報装置をさらに含むことを特徴とする、請求項１に記載のエンドトキシン検出システム。
【請求項３】
三つ以上の異なる角度で溶液中のエンドトキシン粒子の散乱光信号の強度を検出し、光散乱方程式Ｉ＝Ｋ・Ｃ・ｆ（Ｄ）・ｆ（Ｅ）に基づいて、そのうちの任意の二つの角度の散乱光信号によりｆ（Ｄ）とｆ（Ｅ）を計算し、光散乱方程式をＳ＝ｆ・Ｃ＋ｇに簡略化して、さらに残りの角度の散乱光信号を用いて溶液中のエンドトキシン濃度を計算して定量的検出を実現し、
上記の方程式において、Ｉは散乱光信号の強度、Ｋは比例定数、Ｃはエンドトキシン濃度、ｆ（Ｄ）は粒子の粒径パラメータ関数、ｆ（Ｅ）は散乱スペクトル関数であり、ＳはＩのＩｎ線形化データ処理により得られる光散乱度であり、関連係数はｆ＝Ｋ・ｆ（Ｄ）・ｆ（Ｅ）であり、ｇは補正パラメータであることを特徴とする、請求項１に記載のエンドトキシン検出システムに基づく検出方法。
【請求項４】
レーザー源、光源強度調節器、スキャンモードレギュレータ、短焦点レンズ、回折格子、長焦点レンズ、検出セル、散乱光受信器、光電変換器、信号増幅器、信号プロセッサ、データ収集器、半定量演算器、およびデータディスプレイを含むエンドトキシン検出システムであって、
前記レーザー源から出力された光が順に、前記短焦点レンズ、前記回折格子、および前記長焦点レンズを通過してから前記検出セルに入り、前記検出セルを透過した光が、前記散乱光受信器により受信されてから前記光電変換器に入り、前記光電変換器の出力信号が順に、前記信号増幅器、前記信号プロセッサ、および前記データ収集器を通過してから前記半定量演算器に入ってエンドトキシンの限度を検出し、
前記信号増幅器、前記信号プロセッサ、前記データ収集器、および前記半定量演算器の出力端は、いずれも光源強度調節器によって前記レーザー源に接続され、
前記半定量演算器の出力端はさらにスキャンモードレギュレータによって前記レーザー源に接続され、
前記データディスプレイは前記半定量演算器の出力端に接続されることを特徴とする、エンドトキシン検出システム。
【請求項５】
前記半定量演算器の出力端に接続される早期警報装置をさらに含むことを特徴とする、請求項４に記載のエンドトキシン検出システム。
【請求項６】
前記スキャンモードレギュレータのモードはセグメントスキャンモードと全分布スキャンモードとを含み、
前記セグメントスキャンモードのスキャン範囲は１〜１０ｎｍ、５〜５００ｎｍ、１００〜１０００ｎｍであり、
前記全分布スキャンモードのスキャン範囲は１〜１０００ｎｍであることを特徴とする、請求項４に記載のエンドトキシン検出システム。
【請求項７】
前記検出セルは光学ガラスからなり、オンライン検出セルとオフライン検出セルとを含むことを特徴とする、請求項１または４に記載のエンドトキシン検出システム。
【請求項８】
粒径多分布検出と粒径単一分布検出とに分けられ、
前記粒径多分布検出は、
前記レーザー源の強度を調節するステップ１−１と、
前記スキャンモードレギュレータを調節して、前記レーザー源をセグメントスキャンモードに設定するステップ１−２と、
一連の濃度のエンドトキシン標準溶液を調製し、各濃度の前記エンドトキシン標準溶液に対して粒径多分布検出を行うステップ１−３と、
前記半定量演算器における検出パラメータを設定することにより、各濃度の前記エンドトキシン標準溶液の濃度限界値を検出するステップ１−４と、
試料に応じて前記半定量演算器における検出パラメータを対応するように設定し、試料に対して粒径多分布検出を行い、検出結果において、２０〜３００ｎｍの範囲内でエンドトキシンの粒径分布のピークが現れない場合は、試料のエンドトキシン濃度が対応する濃度限界値より低くなり、エンドトキシンの粒径分布のピークが発生する場合は、試料のエンドトキシン濃度が対応する濃度限界値より高くなるステップ１−５と、を含み、
前記粒径単一分布検出は、
前記レーザー源の強度を調節するステップ２−１と、
前記スキャンモードレギュレータを調節して、前記レーザー源を全分布スキャンモードに設定するステップ２−２と、
一連の濃度のエンドトキシン標準溶液を調製し、各濃度の前記エンドトキシン標準溶液に対して粒径単一分布検出を行うステップ２−３と、
前記半定量演算器における検出パラメータを設定することにより、各濃度の前記エンドトキシン標準溶液の濃度限界値を検出するステップ２−４と、
試料に応じて前記半定量演算器における検出パラメータを対応するように設定し、試料に対して粒径単一分布検出を行い、検出結果において、エンドトキシンの粒径分布のピークが２０ｎｍ未満の場合は、試料のエンドトキシン濃度が対応する濃度限界値より低くなり、エンドトキシンの粒径分布のピークが２０ｎｍを超える場合は、試料のエンドトキシン濃度が対応する濃度限界値より高くなるステップ２−５と、を含むことを特徴とする、請求項４に記載のエンドトキシン検出システムに基づく検出方法。
【請求項９】
前記半定量演算器における検出パラメータは、増幅倍率、チャネル数、遅延係数、および速度係数を含むことを特徴とする、請求項８に記載のエンドトキシン検出システムの検出方法。
【発明の詳細な説明】
【技術分野】
【０００１】
本発明は、レーザーによる粒径の検出に基づくエンドトキシン検出システムおよびそれに対応する検出方法に関し、細菌エンドトキシンの検出分野に属する。
【背景技術】
【０００２】
細菌エンドトキシンはリポ多糖であり、リポソームとも称され、グラム陰性菌細胞の外壁成分として自然界に広く存在している。かかる物質が人体の血液中に入ると発熱を引き起こし、これは一般的に発熱反応と言われている。このような物質は人体への深刻な副作用を引き起こす恐れがあるため、薬物注射剤は厳しく管理する必要がある。
【０００３】
現在、レーザー粒径検出器はエンドトキシンの検出に適用されていないが、我々が比較的感度の高いマルバーンＮａｎｏ  ＺＳＺＥＷ３６００型レーザー粒径分析器に対して分析を行ったところ、エンドトキシン濃度が１０ＥＵ／ｍｌ以上の溶液中の粒子は検出できるが、注射剤中のエンドトキシンを検出するには条件を満たさなかった。レーザー粒径検出器は、粒子の異なる角度における光散乱信号が異なる点に基づいて二点以上の多点光散乱信号に対しては粒径の分析を行えるが、粒子の濃度に対しては検出を行うことができない。
【０００４】
細菌エンドトキシンの検出は、定性的検出と定量的検出の二つのタイプに分けることができる。通常の検出方法はウサギを用いた方法であり、供試品をウサギの体内に静脈注入して、所定の時間内での体温の変化状況を観察する。かかる方法は外乱要因が多く、感度が悪く、特に消熱作用薬物や解熱・解毒系注射剤において偽陰性が生じる可能性がある。薬局方におけるエンドトキシンの検出はいずれもＬＡＬ法を採用しているが、かかる方法は準備時間が長く、検出に時間がかかり、コストが高く、かつ迅速、連続およびオンラインでの検出を実現することができない。
【発明の概要】
【発明が解決しようとする課題】
【０００５】
本発明は、検出コストを低下させると共に検出速度を向上させるために、従来の技術に存在する短所に対して二種類のエンドトキシン検出システムおよびそれに対応する方法を提案する。
【課題を解決するための手段】
【０００６】
第一のエンドトキシン検出システムは、レーザー源、短焦点レンズ、回折格子、長焦点レンズ、検出セル、散乱光受信器、光電変換器、信号増幅器、信号プロセッサ、データ収集器、定量演算器、およびデータディスプレイを含み、レーザー源から出力された光が順に、短焦点レンズ、回折格子、および長焦点レンズを通過してから検出セルに入り、検出セルを透過した光が、散乱光受信器により受信されてから光電変換器に入り、光電変換器の出力信号が順に、信号増幅器、信号プロセッサ、およびデータ収集器を通過してから定量演算器に入ってエンドトキシン濃度を計算し、定量演算器の出力端はデータディスプレイに接続される。
【０００７】
第一のエンドトキシン検出システムに基づく検出方法の内容は以下の通りである。
【０００８】
三つ以上の異なる角度で溶液中のエンドトキシン粒子の散乱光信号の強度を検出し、光散乱方程式Ｉ＝Ｋ・Ｃ・ｆ（Ｄ）・ｆ（Ｅ）に基づいて、そのうちの任意の二つの角度の散乱光信号によりｆ（Ｄ）とｆ（Ｅ）を計算し、光散乱方程式をＳ＝ｆ・Ｃ＋ｇに簡略化し、さらに残りの角度の散乱光信号を用いて溶液中のエンドトキシン濃度を計算して、定量的検出を実現する。
【０００９】
上記方程式において、Ｉは散乱光信号の強度、Ｋは比例定数、Ｃはエンドトキシン濃度、ｆ（Ｄ）は粒子の粒径パラメータ関数、ｆ（Ｅ）は散乱スペクトル関数であり、ＳはＩのＩｎ線形化データ処理により得られる光散乱度であり、関連係数はｆ＝Ｋ・ｆ（Ｄ）・ｆ（Ｅ）であり、ｇは補正パラメータである。
【００１０】
第二のエンドトキシン検出システムは、レーザー源、光源強度調節器、スキャンモードレギュレータ、短焦点レンズ、回折格子、長焦点レンズ、検出セル、散乱光受信器、光電変換器、信号増幅器、信号プロセッサ、データ収集器、半定量演算器、およびデータディスプレイを含み、レーザー源から出力された光が順に、短焦点レンズ、回折格子、および長焦点レンズを通過してから検出セルに入り、検出セルを透過した光が、散乱光受信器により受信されてから光電変換器に入り、光電変換器の出力信号が順に、信号増幅器、信号プロセッサ、およびデータ収集器を通過してから半定量演算器に入って、エンドトキシンの限度を検出し、信号増幅器、信号プロセッサ、データ収集器、および半定量演算器の出力端は、いずれも光源強度調節器によってレーザー源に接続され、半定量演算器の出力端はさらにスキャンモードレギュレータによってレーザー源に接続され、データディスプレイは半定量演算器の出力端に接続される。
【００１１】
第二のエンドトキシン検出システムに基づく検出方法は、粒径多分布検出と粒径単一分布検出とに分けられる。
【００１２】
粒径多分布検出は、
レーザー源の強度を調節するステップ１−１と；
スキャンモードレギュレータを調節して、レーザー源をセグメントスキャンモードに設定するステップ１−２と；
一連の濃度のエンドトキシン標準溶液を調製し、各濃度のエンドトキシン標準溶液に対して粒径多分布検出を行うステップ１−３と；
半定量演算器における検出パラメータを設定することにより、各濃度のエンドトキシン標準溶液の濃度限界値を検出するステップ１−４と；
試料に応じて半定量演算器における検出パラメータを対応するように設定し、試料に対して粒径多分布検出を行い、検出結果において、２０〜３００ｎｍの範囲内でエンドトキシンの粒径分布のピークが現れない場合は、試料のエンドトキシン濃度が対応する濃度限界値より低くなり、エンドトキシンの粒径分布のピークが発生する場合は、試料のエンドトキシン濃度が対応する濃度限界値より高くなるステップ１−５と、を含む。
【００１３】
粒径単一分布検出は、
レーザー源の強度を調節するステップ２−１と；
スキャンモードレギュレータを調節して、レーザー源を全分布スキャンモードに設定するステップ２−２と；
一連の濃度のエンドトキシン標準溶液を調製し、各濃度のエンドトキシン標準溶液に対して粒径単一分布検出を行うステップ２−３と；
半定量演算器における検出パラメータを設定することにより、各濃度のエンドトキシン標準溶液の濃度限界値を検出するステップ２−４と；
試料に応じて半定量演算器における検出パラメータを対応するように設定し、試料に対して粒径単一分布検出を行い、検出結果において、エンドトキシンの粒径分布のピークが２０ｎｍ未満の場合は、試料のエンドトキシン濃度が対応する濃度限界値より低くなり、エンドトキシンの粒径分布のピークが２０ｎｍを超える場合は、試料のエンドトキシン濃度が対応する濃度限界値より高くなるステップ２−５と、を含む。
【発明の効果】
【００１４】
本発明の技術的効果は以下の通りである。
１、検出の際に、試薬（ＬＡＬ試薬）を消費する必要がないので、エンドトキシンの検出コストを大幅に低減できること；
２、光路システムを集積したことで検出感度が向上し、０．５ＥＵ／ｍｌ以上のエンドトキシン溶液を検出できること；
３、検出モードはオンライン検出とオフライン検出の二種類に分けられ、柔軟に応用でき、実用性に優れること；
４、エンドトキシンの検出時間が大幅に短縮されて迅速検出の目的を達成し、注射用水、注射剤半製品および完成品におけるエンドトキシンの限界値の迅速検出・判断に用いることができること；
５、早期警報システムが増設されて溶液のエンドトキシン濃度が基準値を超えたときに早期警報を出すことができ、オンライン監視を実現し、信頼性が高いこと。
【図面の簡単な説明】
【００１５】
【図１】図１は、本発明の第一のエンドトキシン検出システムの構造ブロック図である。
【図２】図２は、エンドトキシンの定量計算原理の模式図である。
【図３】図３は、本発明の第一のエンドトキシン検出システムの検出・早期警報のフローチャートである。
【図４】図４は、本発明の第二のエンドトキシン検出システムの構造ブロック図である。
【図５】図５は、粒径多分布検出の実施例において、濃度が５．０ＥＵ／ｍｌである検出パラメータを用いたエンドトキシンの検出結果図である。
【図６】図６は、粒径多分布検出の実施例において、濃度が２．０ＥＵ／ｍｌである検出パラメータを用いたエンドトキシンの検出結果図である。
【図７】図７は、粒径単一分布検出の実施例において、濃度が１０．０ＥＵ／ｍｌである検出パラメータを用いたエンドトキシンの検出結果図である。
【図８】図８は、粒径単一分布検出の実施例において、濃度が７．０ＥＵ／ｍｌである検出パラメータを用いたエンドトキシンの検出結果図である。
【発明を実施するための形態】
【００１６】
（一）第一のエンドトキシン検出システム
図１に示すように、本発明の第一のエンドトキシン検出システムは、レーザー源１、短焦点レンズ２、回折格子３、長焦点レンズ４、検出セル５、散乱光受信器６、光電変換器７、信号増幅器８、信号プロセッサ９、データ収集器１０、定量演算器１１、およびデータディスプレイ１３を含み、レーザー源１から出力された光が順に、短焦点レンズ２、回折格子３、および長焦点レンズ４を通過してから検出セル５に入り、検出セル５を透過した光が、散乱光受信器６により受信されてから光電変換器７に入り、光電変換器７の出力信号が順に、信号増幅器８、信号プロセッサ９、およびデータ収集器１０を通過してから定量演算器１１に入ってエンドトキシン濃度を計算し、定量演算器１１の出力端はデータディスプレイ１３に接続される構成となっている。
【００１７】
上記エンドトキシン検出システムは、通常のレーザー粒径検出器に基づいて光路検出システムを集積する。約９０度の散乱光路検出が好ましい。レーザー源１はカナダのＥＸＦＯ社のＦＬＳ−２６００Ｂダブルビーム型レーザー源を採用する。短焦点レンズ２は超低分散レンズを採用する。回折格子３は光ファイバーカプラー型の光ファイバー回折格子を採用する。長焦点レンズ４は低消耗性のＮＶ−２０２ｍレンズを採用する。検出セル５は光学ガラスからなり、オンライン検出セルとオフライン検出セルの二種類を含む。オンライン検出セルの上下両端には液体出口と液体入口が設けられ、オンライン検出セルは液体出口と液体入口によって注射剤生産ラインのパイプに接続されかつ回路を形成して薬液の連続的な検出を実現し、気泡の干渉を排除するように液体出口と液体入口にはいずれも電磁バルブが設けられ、さらに液体入口には超音波プローブが設けられている。
【００１８】
オフライン検出セルは半密閉型で取り外し可能な検出セルであり、手動で溶液を交換するように頂上部には液体添加口が設けられている。散乱光受信器６はＡＰＩ社のＰｉｃｏｍｅｔｒｉｘ  ＬＬＣ高速多点広角度散乱光受信器モジュールを採用し、多点間隔において対数配列をなす。光電変換器７はアメリカのＨｅｎｒｉｃｈ社のＨＥＳＭＣ光電変換器を採用する。信号増幅器８は増幅回路とフィルタ回路とからなり、そのうち増幅回路は三つのＩＣＬ７６５０増幅器により差動増幅回路の形に連結され、フィルタ回路は常用のＲＣネットワークである。信号プロセッサ９はイタリアのＶＡＬ．ＣＯのＣＯＮＶＥＲＴＥＲ−ＶＬＣ．６０２プログラマブル信号プロセッサを採用する。データ収集器１０はマキシム社のＡ／Ｄ変換器Ｍａｘ１３２を採用する。図２に示すように、定量演算器１１の計算原理は、光散乱方程式Ｉ＝Ｋ・ｂ・Ｃ・ｆ（Ｄ）・ｆ（Ｅ）・ｆ（Δλ）に基づき、式中、Ｉは散乱光信号の強度、Ｋは比例定数、ｂは検出溶液の厚さ、Ｃはエンドトキシン濃度（単位：ＥＵ／ｍｌ）、ｆ（Ｄ）は粒子の粒径パラメータ関数、ｆ（Ｅ）は散乱スペクトル関数、ｆ（Δλ）は波長関数である。検出溶液の厚さ(キュベット)が固定され、波長が固定されることで、ｂとｆ（Δλ）は定数となり、光散乱方程式をＩ＝Ｋ・Ｃ・ｆ（Ｄ）・ｆ（Ｅ）に簡略化できる。
【００１９】
異なる濃度のエンドトキシン標準溶液で検出することにより定数Ｋが得られ、システムは三つ以上の異なる角度で溶液中のエンドトキシン粒子の散乱光信号の強度を検出し、Ｉ＝Ｋ・Ｃ・ｆ（Ｄ）・ｆ（Ｅ）に基づいて、そのうちの任意の二つの角度の散乱光信号によりｆ（Ｄ）とｆ（Ｅ）を計算して、光散乱方程式をＳ＝ｆ・Ｃ＋ｇに簡略化する。式中、ＳはＩのＩｎ線形化データ処理により得られる光散乱度であり、関連係数はｆ＝Ｋ・ｆ（Ｄ）・ｆ（Ｅ）であり、ｇは補正パラメータである。さらに残りの角度の散乱光信号を用いて溶液中のエンドトキシンの含有量を計算して定量的検出を実現する。データディスプレイ１３は金創導社の１２８×６４ドットマトリックス表示端末を採用し、検出されたエンドトキシン濃度値を表示することに用いられる。システムがアラーム機能を備えるように、本システムにはさらに定量演算器１１に接続される早期警報装置１４が設けられており、早期警報装置１４は集積式の成就電子社のＣＭＳ７０００―５００アラーム監視ソフトウェアと圧電式早期警報システムを採用する。図３に示すように、本システムの検出・早期警報のフローにおける早期警報ソフトウェアでエンドトキシン濃度限界値を予め設定することができ、検出された溶液中のエンドトキシン濃度が限界値を超えるとき、警報器が警報を出すようになっている。
【００２０】
本発明の第一のエンドトキシン検出システムのオンライン検出時の使用フローは以下の通りである。生産条件に応じて、定量演算器にエンドトキシン濃度限界値および係数ｆとパラメータｇを予め設定しておき、生産ラインを起動して溶液をオンライン検出セルに入れ、Ｓ＝ｆ・Ｃ＋ｇに基づいてエンドトキシン濃度を計算し、該濃度が限界値未満の場合、システムは運行を維持し、該濃度が限界値を超える場合、早期警報システムが警報を出す。
【００２１】
本発明の第一のエンドトキシン検出システムのオフライン検出時の操作ステップは以下の通りである。定量演算器に係数ｆとパラメータｇを予め設定しておき、オフライン検出セルを取り出して浄水できれいに洗浄し、検出溶液で２〜３回すすいだ後に検出溶液を添加し、検出セルを本システムに配置し、Ｓ＝ｆ・Ｃ＋ｇに基づいてエンドトキシン濃度を計算する。
【００２２】
以下、第一のエンドトキシン検出システムに対するタンジン注射液のエンドトキシンのオフラインでの定量的検出の実施例を提示する。
【００２３】
オフライン検出セルを交換し、作業標準のエンドトキシンを取り、検査用水を用いて１００ＥＵ／ｍｌの濃度のエンドトキシン標準溶液を調製し、さらに検査用水を用いて一連の濃度のエンドトキシン標準溶液に段階的に希釈する。調製されてなる一連の濃度は、それぞれ０．５、１、５、１０、５０ＥＵ／ｍｌであり、溶液を検出セルに置いて検出を行い、定量演算器によってデータ回帰計算を行い、線形方程式：Ｓ＝０．０５６Ｃ＋０．１６５、Ｒ２＝０．９９７であり、計算結果は表１の通りである。
【００２４】
【表１】
2015519576.tif 000003
【００２５】
タンジン注射液中間体（上海華源安徽錦輝製薬有限会社提供、ロット番号：０５１１０２０９）を取り、本システムとＬＡＬ試薬比濁法をそれぞれ用いてエンドトキシン含有量を計算した。結果は表２の通りである。
【００２６】
【表２】
2015519576.tif 000004
【００２７】
その結果、本システムにより検出されたエンドトキシン含有量とＬＡＬ試薬比濁法によるエンドトキシン含有量とは近似している。現在、ＬＡＬ試薬比濁法は中国薬局方に収録された方法であり、測定結果が正確で、本システムにより検出された結果がこれと近似しており、これも本システムの信頼性を説明するものである。
【００２８】
以下、第一のエンドトキシン検出システムに対するタンジン注射液のエンドトキシンのオンラインでの定量的検出の実施例を提示する。
【００２９】
二つのタンジン注射液を取る。一つは正常薬液（上海華源安徽錦輝製薬有限会社提供、ロット番号：１００１１６０５）であり、他方は汚染された薬液である。二つの薬液をそれぞれオンラインで検出する。検出パラメータを設定し、ｆは０．０５６、ｇは０．１６５、エンドトキシン限界値は１ＥＵ／ｍｌである。生産ラインを起動して検出を行い、回帰方程式Ｓ＝０．０５６Ｃ＋０．１６５によりエンドトキシン濃度を計算した。結果は表３の通りである。
【００３０】
【表３】
2015519576.tif 000005
【００３１】
その結果、エンドトキシンの汚染が限界値を超える場合に本システムは警報を出すことができ、注射剤の生産におけるエンドトキシンの汚染状況の定量的監視が実現できる。
【００３２】
（二）第二のエンドトキシン検出システム
図４に示すように、本発明の第二のエンドトキシン検出システムは、レーザー源１、短焦点レンズ２、回折格子３、長焦点レンズ４、検出セル５、散乱光受信器６、光電変換器７、信号増幅器８、信号プロセッサ９、データ収集器１０、半定量演算器１２、データディスプレイ１３、光源強度調節器１５、およびスキャンモードレギュレータ１６を含み、レーザー源１から出力された光が順に、短焦点レンズ２、回折格子３、および長焦点レンズ４を通過してから検出セル５に入り、検出セル５を透過した光が、散乱光受信器６により受信されてから光電変換器７に入り、光電変換器７の出力信号が順に、信号増幅器８、信号プロセッサ９、およびデータ収集器１０を通過してから半定量演算器１２に入ってエンドトキシンの限度を検出し、信号増幅器８、信号プロセッサ９、データ収集器１０、および半定量演算器１２の出力端はいずれも光源強度調節器１５によってレーザー源１に接続され、半定量演算器１２の出力端はさらにスキャンモードレギュレータ１６によってレーザー源１に接続され、データディスプレイ１３は半定量演算器１２の出力端に接続される構成となっている。
【００３３】
上記エンドトキシン検出システムも同様に約９０度の散乱光路検出が好ましい。レーザー源１はシングルビームまたはダブルビーム型のレーザー源を採用することが可能で、ここでもカナダのＥＸＦＯ社のＦＬＳ−２６００Ｂダブルビーム型レーザー源を採用する。光源強度調節器１５はアメリカのＢｒｏａｄｃｏｍ社のＡＶＲ―８Ａ型エネルギーレギュレータを採用し、レーザー源１の強度を調節することに用いられる。スキャンモードレギュレータ１６は粒径のスキャン範囲を制御することに用いられ、そのモードはセグメントスキャンモードと全分布スキャンモードとを含み、セグメントスキャンモードのスキャン範囲は１〜１０ｎｍ（好ましくは１〜５ｎｍ）、５〜５００ｎｍ（好ましくは５〜２００ｎｍ）、１００〜１０００ｎｍ（好ましくは２００〜１０００ｎｍ）であり、全分布スキャンモードのスキャン範囲は１〜１０００ｎｍである。半定量演算器１３に異なるエンドトキシン濃度の検出感度（濃度限界値）の検出パラメータが集積記憶される。ここで、０．５ＥＵ／ｍｌおよび１〜１０の間の自然数（ＥＵ／ｍｌ）の濃度限界値の検出パラメータが含まれ、異なる試料におけるエンドトキシン含有量の限度要求に応じて異なる検出限界を選択し、前記検出パラメータには増幅倍率、チャネル数、遅延係数、および速度係数が含まれる。
【００３４】
短焦点レンズ２、回折格子３、長焦点レンズ４、検出セル５、散乱光受信器６、光電変換器７、信号増幅器８、信号プロセッサ９、データ収集器１０、およびデータディスプレイ１３が採用する機器の形態はいずれも第一のエンドトキシン検出システムと同一である。システムがアラーム機能を備えるように、第二のエンドトキシン検出システムにも同様に早期警報装置１４が設けられており、早期警報装置１４は半定量演算器１３の出力端に接続され、早期警報装置１４が採用する形態も第一のエンドトキシン検出システムと同一である。
【００３５】
本発明の第二のエンドトキシン検出システムの検出方法は、粒径多分布検出と粒径単一分布検出とに分けられる。
【００３６】
粒径多分布検出は、
レーザー源の強度を調節するステップ１−１と；
スキャンモードレギュレータを調節して、レーザー源をセグメントスキャンモードに設定するステップ１−２と；
一連の濃度のエンドトキシン標準溶液を調製し、各濃度のエンドトキシン標準溶液に対して粒径多分布検出を行うステップ１−３と；
半定量演算器における検出パラメータを設定することにより、各濃度のエンドトキシン標準溶液の濃度限界値を検出するステップ１−４と；
試料のエンドトキシン含有量の限度要求に応じて、半定量演算器における検出パラメータを対応するように設定し（即ち、検出感度を選択する）、試料に対して粒径多分布検出を行い、検出結果において、２０〜３００ｎｍの範囲内でエンドトキシンの粒径分布のピークが現れない場合は、試料のエンドトキシン濃度が対応する濃度限界値より低くなり、即ち合格であり、エンドトキシンの粒径分布のピークが発生する場合は、試料のエンドトキシン濃度が対応する濃度限界値より高くなり、即ち不合格であるステップ１−５と、を含む。
【００３７】
粒径単一分布検出は、
レーザー源の強度を調節するステップ２−１と；
スキャンモードレギュレータを調節して、レーザー源を全分布スキャンモードに設定するステップ２−２と；
一連の濃度のエンドトキシン標準溶液を調製し、各濃度のエンドトキシン標準溶液に対して粒径単一分布検出を行うステップ２−３と；
半定量演算器における検出パラメータを設定することにより、各濃度のエンドトキシン標準溶液の濃度限界値を検出するステップ２−４と；
試料のエンドトキシン含有量の限度要求に応じて、半定量演算器における検出パラメータを対応するように設定し（即ち、検出感度を選択する）、試料に対して粒径単一分布検出を行い、検出結果において、エンドトキシンの粒径分布のピークが２０ｎｍ未満の場合は、試料のエンドトキシン濃度が対応する濃度限界値より低くなり、即ち合格であり、エンドトキシンの粒径分布のピークが２０ｎｍを超える場合は、試料のエンドトキシン濃度が対応する濃度限界値より高くなり、即ち不合格であるステップ２−５と、を含む。
【００３８】
以下、第二のエンドトキシン検出システムによる検出の実施例について説明する。
【００３９】
半定量演算器のパラメータの収集：
設備および材料：ａ、ＣＮ−１１型エンドトキシン溶液ナノ粒径分析器、ｂ、細菌エンドトキシン作業標準品（ロット番号：１５０６０１−２０１１７６、規格：１００ＥＵ・Ａｍｐ−１、中国薬品生物製品検定所）、ｃ、細菌エンドトキシン検出用水（ロット番号：１００１３０、湛江博康海洋生物有限会社）。
【００４０】
方法：作業標準のエンドトキシンを取り、検査用水を用いて１００ＥＵ／ｍｌの濃度のエンドトキシン標準溶液を調製し、さらに検査用水を用いて一連の濃度のエンドトキシン標準溶液に段階的に希釈する。ここで、一連の濃度はそれぞれ１０．０ＥＵ／ｍｌ、５．０ＥＵ／ｍｌ、２．０ＥＵ／ｍｌ、１．０ＥＵ／ｍｌ、および０．５ＥＵ／ｍｌである。
【００４１】
ＣＮ−１１型エンドトキシン溶液ナノ粒径分析器を起動して、３０ｍｉｎ以上予熱し、一連の標準溶液を低濃度から高濃度の順に検出セルに添加して検出を行い、パラメータ（増幅倍率、チャネル数、遅延係数、および速度係数）を設定して、ナノ粒径分析器の検出感度を調節した。好ましい検出パラメータの結果は表４に示した通りであり、表４における各エンドトキシンの検出パラメータは半定量演算器に記憶される。
【００４２】
【表４】
2015519576.tif 000006
【００４３】
Ｉ．粒径多分布検出と動態比濁法でそれぞれタンジン注射液中間体のエンドトキシン含有量を測定する。
【００４４】
設備および材料：ａ、ＣＮ−１１型エンドトキシン溶液ナノ粒径分析器、ｂ、ＢＥＴ−１６Ｍ細菌エンドトキシン測定器、ｃ、動態比濁法ＬＡＬ試薬（ロット番号：１３０３２７０、λ＝０．０３ＥＵ・ｍＬ−１、規格：０．６ｍＬ・Ａｍｐ−１、湛江博康海洋生物有限会社）、ｄ、細菌エンドトキシン作業標準品（ロット番号：１５０６０１−２０１１７６、規格：１００ＥＵ・Ａｍｐ−１、中国薬品生物製品検定所）、ｅ、細菌エンドトキシン検出用水（ロット番号：０７０１３０、規格：５ｍＬ・Ａｍｐ−１、湛江博康海洋生物有限会社）、ｆ、細菌エンドトキシン指示薬（ロット番号：０７１１１４、規格：３０００ＥＵ・Ａｍｐ−１、湛江博康海洋生物有限会社）、ｇ、タンジン注射液中間体（ロット番号：２０１３０２１９１、上海華源安徽錦輝製薬有限会社）。
【００４５】
方法：タンジン注射液中間体を取り、タンジン注射液中間体のエンドトキシンの限度要求に応じて、セグメントスキャンモードで多分布検出を行い、５．０ＥＵ／ｍｌの限界値の検出パラメータ、２．０ＥＵ／ｍｌの限界値の検出パラメータ、およびＬＡＬ試薬比濁法を選択してエンドトキシン含有量を検出した。その結果は図５、図６、および表５に示した通りである。
【００４６】
【表５】
2015519576.tif 000007
【００４７】
結果、本方法では、２．０ＥＵ／ｍｌの限界値パラメータを採用した場合は不合格であると検出され、５．０ＥＵ／ｍｌの限界値の検出パラメータを採用した場合は合格であると検出された。これは、試料エンドトキシンの濃度が５．０ＥＵ／ｍｌ未満、かつ２．０ＥＵ／ｍｌを超える場合、ＬＡＬ薬比濁法による結果と符合することを説明するものであり、本方法の信頼性が検証された。
【００４８】
ＩＩ．粒径単一分布検出および動態比濁法でそれぞれ消癌片注射液中間体のエンドトキシン含有量を測定する。
【００４９】
消癌片注射液中間体を取り、消癌片注射液中間体のエンドトキシンの限界要求に応じて、全体分布スキャンモードで単一分布検出を行い、１０．０ＥＵ／ｍｌの限界値の検出パラメータを選択してエンドトキシン含有量をスキャンした。その結果は図７に示したように、２０ｎｍを超える範囲内には粒径分布のピークが現れなかった。エンドトキシン標準品を添加してＬＡＬ試薬動態比濁法で検出した結果、そのエンドトキシン含有量は８．０ＥＵ／ｍｌであり、さらに７．０ＥＵ／ｍｌの限界値の検出パラメータを選択して検出を行った。その結果は図８に示したように、粒径分布のピークが２７０ｎｍまでずれ、試料のエンドトキシン濃度が７.０ＥＵ/ｍｌの限界値を超え、ＬＡＬ試薬比濁法による検出結果と符合することを証明したこととなり、本方法の信頼性が再度検証された。
【符号の説明】
【００５０】
１−レーザー源
２−短焦点レンズ
３−回折格子
４−長焦点レンズ
５−検出セル
６−散乱光受信器
７−光電変換器
８−信号増幅器
９−信号プロセッサ
１０−データ収集器
１１−定量演算器
１２−半定量演算器
１３−データディスプレイ
１４−早期警報装置
１５−光源強度調節器
１６−スキャンモードレギュレータ
【図１】
2015519576.tif 000008
【図２】
2015519576.tif 000009
【図３】
2015519576.tif 000010
【図４】
2015519576.tif 000011
【図５】
2015519576.tif 000012
【図６】
2015519576.tif 000013
【図７】
2015519576.tif 000014
【図８】
2015519576.tif 000015
【国際調査報告】
2015519576.tif 000016
2015519576.tif 000017
2015519576.tif 000018
2015519576.tif 000019
2015519576.tif 000020
2015519576.tif 000021
2015519576.tif 000022